(57)【要約】【課題】遊技盤上の障害釘の位置が基準となる障害釘の画像データからどれだけズレているかを見ながら障害釘位置を調整することのできる釘位置調整装置を提供すること。【解決手段】遊技機から取り外した遊技盤を着脱可能に保持する遊技盤保持部と、該遊技盤保持部を撮像位置と調整位置に旋回自在に保持する保持アームと、前記遊技盤保持部に保持された遊技盤を撮像位置で撮像する撮像機構と、該撮像機構で撮像した画像データあるいは予め入力した画像データを記憶する記憶機構と、該撮像機構で撮像した画像データと選択した基準画像データとを比較演算する演算機構と、該演算機構で比較演算した画像データを表示する表示機構とを備えたので、実際の障害釘の位置が基準となる障害釘の画像データからどれだけズレているかを見ながら障害釘位置を調整することができる。【選択図】  図１
2004313568.tif 000002
【特許請求の範囲】
【請求項１】
遊技機から取り外した遊技盤を着脱可能に保持する遊技盤保持部と、
該遊技盤保持部を撮像位置と調整位置に旋回自在に保持する保持アームと、
前記遊技盤保持部に保持された遊技盤を撮像位置で撮像する撮像機構と、
該撮像機構で撮像した画像データあるいは予め入力した画像データを記憶する記憶機構と、
該撮像機構で撮像した画像データと選択した基準画像データとを比較演算する演算機構と、
該演算機構で比較演算した画像データを表示する表示機構とを備えたことを特徴とする釘位置調整装置。
【請求項２】
前記遊技盤保持部は、鉛直面に対して前記遊技盤を遊技機に取付けられたとほぼ同じ角度で保持することを特徴とする請求項１に記載の釘位置調整装置。
【請求項３】
前記保持アームは、前記遊技盤保持部を前記撮像位置と調整位置で鉛直面に対する傾きを等しく維持することを特徴とする請求項１または２に記載の釘位置調整装置。
【請求項４】
前記表示機構は、前記遊技盤保持部の調整位置とほぼ同一水平位置に配置されたことを特徴とする請求項１〜３の何れか１に記載の釘位置調整装置。
【請求項５】
前記表示機構は、表示倍率が変更可能であることを特徴とする請求項１〜４の何れか１に記載の釘位置調整装置。
【請求項６】
前記遊技盤保持部は、下端に前記遊技盤の厚さを収容可能な溝条を有することを特徴とする請求項１〜５の何れか１に記載の釘位置調整装置。
【請求項７】
前記遊技盤保持部は、上端をクランプ機構によって遊技盤を着脱可能に保持することを特徴とする請求項１〜６の何れか１に記載の釘位置調整装置。
【発明の詳細な説明】
【０００１】
【発明の属する技術分野】
本発明は、パチンコ機等の遊技機の遊技盤面上の実際の障害釘の位置を正確に画像データとして検出し、基準となる障害釘の画像データとのずれを目視できる形で比較表示して、これを見ながら釘調整することのできる釘位置調整装置に関するものである。
【０００２】
【従来の技術】
一般に、パチンコ機等の遊技盤は、盤面上に複数の役物が取付けられると共に、遊技球の流れを規制する複数の障害釘が打設されている。これらの障害釘は、遊技機の製造時においては、各種製造工程における位置基準を確保するために所定の位置に設けられた基準穴に従って釘打ち機によって自動的に打設される。
しかし、一旦、製品が完成してしまうとこの基準穴は、外部から見えなくなってしまい、製品検査や複数の遊技機間で障害釘の位置を比較する際にチェックの基準とすべき絶対的なポイントが存在しなくなってしまう。
【０００３】
【発明が解決しようとする課題】
従来、遊技盤は製造工程で基準にしている基準穴が、製品の完成時には外部から視認することができないために、製品完成後に障害釘の整備を行うに際して、熟練者が基準ゲージによって隣接する障害釘の間隔や、障害釘の傾き等を調整していた。
しかし、遊技盤上の障害釘の絶対的位置を正確に把握できないために、障害釘全体の関係を把握した上での障害釘調整ができなかった。
つまり、従来は遊技機の整備を行う場合に、熟練者が経験と勘によって目視で各台の釘位置の整備を行っていた。
【０００４】
また、盤面上に記載された図柄を頼りに障害釘の調整をしようとしても、障害釘と図柄との間には、具体的な関連性がないために、図柄等を障害釘を整備する上での基準とすることもできなかった。
更に、従来から遊技盤の画像データから障害釘の位置を比較して障害釘を調整する方法が種々提案されているが、画像データを取得する際に、遊技盤の基準となる点を正確に把握することが困難であったため、確実な障害釘の比較が難しかった。
本発明は、前記実情に鑑み提案されたもので、遊技盤上の障害釘の位置整備を行う際、その基準となる画像データを表示した表示機構と調整を行う実際の遊技盤とを並べて配置し、遊技機の障害釘を正確に、所望の釘位置に整備することのできる釘位置調整装置を提供することを目的とする。
【０００５】
【課題を解決するための手段】
前記目的を達成するために、請求項１に記載の発明は、遊技機から取り外した遊技盤を着脱可能に保持する遊技盤保持部と、該遊技盤保持部を撮像位置と調整位置に旋回自在に保持する保持アームと、前記遊技盤保持部に保持された遊技盤を撮像位置で撮像する撮像機構と、該撮像機構で撮像した画像データあるいは予め入力した画像データを記憶する記憶機構と、該撮像機構で撮像した画像データと選択した基準画像データとを比較演算する演算機構と、該演算機構で比較演算した画像データを表示する表示機構とを備えたことを特徴とするものである。
【０００６】
また、請求項２に記載の発明は、前記遊技盤保持部は、鉛直面に対して前記遊技盤を遊技機に取付けられたとほぼ同じ角度で保持することを特徴とするものである。
【０００７】
また、請求項３に記載の発明において、前記保持アームは、前記遊技盤保持部を前記撮像位置と調整位置で鉛直面に対する傾きを等しく維持することを特徴するものである。
【０００８】
また、請求項４に記載の発明において、前記表示機構は、前記遊技盤保持部の調整位置とほぼ同一水平位置に配置されたことを特徴するものである。
【０００９】
また、請求項５に記載の発明において、前記表示機構は、表示倍率が変更可能であることを特徴するものである。
【００１０】
また、請求項６に記載の発明において、前記遊技盤保持部は、下端に前記遊技盤の厚さを収容可能な溝条を有することを特徴するものである。
【００１１】
また、請求項７に記載の発明において、前記遊技盤保持部は、上端をクランプ機構によって遊技盤を着脱可能に保持することを特徴するものである。
【００１２】
【発明の実施の形態】
以下、一実施の形態を示す図面に基づいて本発明を詳細に説明する。図１は本発明に係る釘位置調整装置の一例を示す全体斜視図、図２は、本発明の釘位置調整装置の遊技盤保持部の動きを示す要部平面図、図３は、本発明の釘位置調整装置に使用される遊技盤保持部の一例を示す斜視図である。ここで、釘位置調整装置１０は、遊技機から取り外した遊技盤１１を着脱可能に保持する遊技盤保持部１２と、該遊技盤保持部１２を撮像位置Ａと調整位置Ｂに旋回自在に保持する保持アーム１３と、前記遊技盤保持部１２に保持された遊技盤１１を撮像位置で撮像する撮像機構１４と、該撮像機構１４で撮像した画像データあるいは予め入力した画像データを記憶する記憶機構１５と、該撮像機構１４で撮像した画像データと選択した基準画像データとを比較演算する演算機構２９と、該演算機構で比較演算した画像データを表示する表示機構１６とを備えている。
【００１３】
遊技盤保持部１２は、図３〜図５に示すように正面側の開放された箱型をしており保持アーム１３によって撮像位置Ａと調整位置Ｂに旋回自在に保持されている。保持アーム１３は、遊技盤保持部１２の上側に２本、下側に２本それぞれ配設されている。この４本の保持アーム１３によって、遊技盤保持部１２は同一の水平位置を保持しながら旋回する。また、遊技盤保持部１２の下端に、キャスタ車輪１７のついた脚部１８を有している。
【００１４】
また、遊技盤保持部１２の正面の開放口下端には、遊技盤１１を挿通可能な溝条１９が形成されている。つまり、溝条１９は、遊技盤１１の厚さを収容可能な幅を有している。溝条１９は、遊技盤保持部１２の一側方向に開放しており、側面から遊技盤１１を障害釘２０の植設された正面を前にして挿通することができる。更に、溝条１９の開放端１９ａの近傍には、係止ピン２１の立設された係止レバー２２が支点２２ａを中心に回動可能に配設されている。
【００１５】
遊技盤保持部１２の開放口の上端には、遊技盤を着脱可能に保持するクランプ機構２３が配設されている。クランプ機構２３は、遊技盤１１の上端の正面側を押圧する押圧部材２４と遊技盤１１を押圧した押圧部材２４を押圧状態で係止する係止部材２５とから構成されている。押圧部材２４は、基端２４ａが遊技盤保持部１２の一部に回動自在に軸支されており、保持部２４ｂが遊技盤１１とほぼ平行となるように折曲している。また、保持部２４ｂの遊技盤１１と当接する面には、弾性部材２６が付着されており、遊技盤１１の幅方向に渡って配設されている。弾性部材２６としては、軟質合成樹脂、合成ゴム、フェルト等の種々の部材を使用することができる。
【００１６】
撮像機構１４は、撮像位置Ａにある遊技盤１１を撮像して画像データを記憶機構１５に記憶する。また、記憶された画像データは基準となる基準画像データと演算機構２９によって比較演算され、基準画像データにおける各障害釘の位置と、撮像された画像データにおける障害釘位置を合成表示する。表示方法としては、例えば基準画像データにおける障害釘の頭の位置を抽出し、釘頭部の径と等しい輪郭円として表示する。また、整備を行う遊技盤の障害釘の頭部位置データは、そのまま表示する。このようにして各画像データを合成した場合、基準画像データの白抜き円に対して、整備を行うべき遊技盤の各障害釘の位置が何れの方向にどれだけズレているかを表示することができる。
【００１７】
更に、別の表示方法として、例えば基準画像データにおける障害釘の頭の位置を抽出し、釘頭部の径より小さな塗り潰し円として表示する。また、整備を行う遊技盤の障害釘の頭部位置データは、演算処理を行ってほぼ釘頭の径と等しい白抜き円として表示する。このように各画像データを合成した場合でも、基準画像データの白抜き円に対して、整備を行うべき遊技盤の各障害釘の位置が何れの方向にどれだけズレているかを表示することができる。
【００１８】
表示機構１６は、液晶パネル、ＣＲＴ、プラズマディスプレイ等を適宜使用することができる。
【００１９】
係止部材２５は、押圧部材２４に回動自在に軸支されると共に、正面側に操作レバー２７を有している。また、操作レバー２７とは反対側には、係合フック２５ａが形成されており、遊技盤保持部１２の側面に立設された係合ピン２８と係合可能となっている。したがって、遊技盤保持部１２の溝条１９に遊技盤１１の下端を挿入し、上端をクランプ機構２３で固定することができる。
【００２０】
次に、以上のように構成された本発明に係る釘位置調整装置１０の使用態様について説明する。先ず、遊技盤の基準とする遊技盤１１Ａを遊技盤保持部１２にセットしてから撮像位置Ａに移動し、撮像機構１４で画像データを取得する。取得した画像データは、記憶機構１５に一旦記憶する。また、基準画像データが既に存在する場合は、その画像データを使用することもできる。基準画像データは、演算機構２９によって障害釘の頭部が識別され、その中心点が演算される。そして、図６に示すように中心点から所定の半径ｒ１の白抜き円Ｒを描画する。
【００２１】
次に、整備すべき遊技盤１１Ｓを遊技盤保持部１２に取付けた後、撮像位置Ａにセットして、撮像機構１４によって障害釘の画像データを取得する。図７に示すように画像データから、障害釘の頭部が識別されそのまま表示される。このようにして描画された基準画像データと調整画像データを図８に示すように合成する。合成画像は、表示機構１６に表示される。この基準画像と調整画像との比較により、障害釘の位置ずれを検出することができる。
また、整備すべき遊技盤１１Ｓの障害釘の位置は、画像データからその中心点が演算して、その中心点から所定の半径ｒ２の塗り潰し円Ｓを描画してもよい。ここで、ｒ１＞ｒ２とする。このようにして得られた画像データを合成しても、障害釘の位置ずれを検出することができる。
【００２２】
これらの障害釘の位置ずれを表示機構１６にずれ量とその方向を表示すると共に、遊技盤保持部１２を図１に示す調整位置Ｂに移動する。作業者はこの合成画像を見ながら、位置ずれした障害釘Ｓ０、Ｓ１のみをハンマーで叩いて整備すれば良いことが、一見しただけで判り、遊技盤の品質を維持管理することが容易にできる。
【００２３】
尚、以上の実施例では、合成画像を２値化画像で表示する例について説明したが、これに限ることなく多色カラー表示してもよい。
【００２４】
【発明の効果】
この発明は前記した構成からなるので、以下に説明するような効果を奏することができる。
【００２５】
請求項１に記載の発明では、遊技機から取り外した遊技盤を着脱可能に保持する遊技盤保持部と、該遊技盤保持部を撮像位置と調整位置に旋回自在に保持する保持アームと、前記遊技盤保持部に保持された遊技盤を撮像位置で撮像する撮像機構と、該撮像機構で撮像した画像データあるいは予め入力した画像データを記憶する記憶機構と、該撮像機構で撮像した画像データと選択した基準画像データとを比較演算する演算機構と、該演算機構で比較演算した画像データを表示する表示機構とを備えたことを特徴とするものである。
【００２６】
このような構成としたことによって、本発明の釘位置調整装置は遊技盤上の障害釘の位置が基準となる障害釘の画像データからどれだけ現実にズレているかを見ながら障害釘位置を調整することができる。したがって、熟練や勘にたよることなく、誰でも遊技盤の正確な障害釘の整備が可能である。
【００２７】
また、請求項２に記載の発明において、前記遊技盤保持部は、鉛直面に対して前記遊技盤を遊技機に取付けられたとほぼ同じ角度で保持するので、基準とする画像データと調整する際の遊技盤の保持角度が等しくなり、より正確に障害釘の整備が可能である。
【００２８】
また、請求項３に記載の発明において、前記保持アームは、前記遊技盤保持部を前記撮像位置と調整位置で鉛直面に対する傾きを等しく維持するので、障害釘の撮像時と調整時の遊技盤を支える角度が等しく、非熟練者にとっても調整が容易である。また、撮像画像と調整時における遊技盤の保持角度が等しいので、障害釘の相違を視認するのが容易となり、正確な釘の整備ができる。
【００２９】
また、請求項４に記載の発明において、前記表示機構は、前記遊技盤保持部の調整位置とほぼ同一水平位置に配置されたので、障害釘の整備を行う作業者は表示機構と現実の遊技盤を比較しながら障害釘の整備ができる。
【００３０】
また、請求項５に記載の発明において、前記表示機構は、表示倍率が変更可能であるので、遊技盤の整備したい障害釘の周辺を特に拡大して表示したり、あるいは現実の遊技盤と等しい大きさで表示したりできる。したがって、表示機構の視認性が増して簡易に釘の整備ができる。
【００３１】
また、請求項６に記載の発明において、前記遊技盤保持部は、下端に前記遊技盤の厚さを収容可能な溝条を有するので、遊技盤を確実に保持することができる。
【００３２】
また、請求項７に記載の発明において、前記遊技盤保持部は、上端をクランプ機構によって遊技盤を着脱可能に保持するので、遊技盤の高さ寸法にバラツキがあっても、種々の製造メーカーの遊技盤を保持することができる。
【図面の簡単な説明】
【図１】図１は、本発明に係る釘位置調整装置の一例を示す全体斜視図である。
【図２】図２は、同釘位置調整装置の遊技盤保持部の動きを示す要部平面図である。
【図３】図３は、同釘位置調整装置に使用される遊技盤保持部の一例を示す斜視図である。
【図４】図４は、同遊技盤保持部の一例を示す縦断面図である。
【図５】図５は、同遊技盤保持部の一例を示す横断面図である。
【図６】図６は、基準画像における障害釘位置を示す白抜き円を示す説明図である。
【図７】図７は、調整画像における障害釘位置を示す塗り潰し円を示す説明図である。
【図８】図８は、基準画像と調整画像を合成した場合を示す説明図である。
【符号の説明】
１０      釘位置調整装置
１１      遊技盤
１２      遊技盤保持部
１３      保持アーム
１４      撮像機構
１５      記憶機構
１６      表示機構
１７      キャスタ車輪
１８      脚部
１９      溝条
２０      障害釘
２１      係止ピン
２２      係止レバー
２３      クランプ機構
２４      押圧部材
２５      係止部材
２６      弾性部材
２７      操作レバー
２８      係合ピン
２９      演算機構
【図１】
2004313568.tif 000003
【図２】
2004313568.tif 000004
【図３】
2004313568.tif 000005
【図４】
2004313568.tif 000006
【図５】
2004313568.tif 000007
【図６】
2004313568.tif 000008
【図７】
2004313568.tif 000009
【図８】
2004313568.tif 000010